Podtech/llm-jp-corpus-v4-ja_patent huggingface dataset:
【手続補正書】
【提出日】平成29年3月30日(2017.3.30)
【手続補正１】
【補正対象書類名】明細書
【補正対象項目名】００１１
【補正方法】変更
【補正の内容】
【００１１】
本発明に係る層流煙検出装置は、監視カメラにより撮像された画像に対して画像処理を施すことにより、層流煙の発生を検出する層流煙検出装置であって、事前準備時に、検出対象である層流煙が実際に発生したときの複数の層流煙画像を記憶するとともに、監視時に、監視カメラにより撮像された監視対象画像を記憶する画像メモリと、画像メモリ内に記憶された画像ごとに、輝度ヒストグラムに基づく複数のテクスチャ特徴量を算出する特徴量抽出部と、事前準備時に画像メモリに記憶された複数の層流煙画像のそれぞれに対して特徴量抽出部により算出された複数のテクスチャ特徴量のそれぞれについて、複数の層流煙画像に関する層流煙特徴量ヒストグラムを作成する特徴量ヒストグラム作成部と、監視時に画像メモリに記憶された監視対象画像に対して特徴量抽出部により算出された複数のテクスチャ特徴量と、特徴量ヒストグラム作成部により複数のテクスチャ特徴量ごとに作成された層流煙特徴量ヒストグラムとの相関関係から、監視時に撮像された監視対象画像において層流煙が発生しているか否かを判断する層流煙判定部とを備えるものである。
【手続補正２】
【補正対象書類名】明細書
【補正対象項目名】００１２
【補正方法】変更
【補正の内容】
【００１２】
また、本発明に係る層流煙検出方法は、監視カメラにより撮像された画像に対して画像処理を施すことにより、層流煙の発生を検出する層流煙検出方法であって、事前準備時に、検出対象である層流煙が実際に発生したときの複数の層流煙画像を画像メモリに記憶するとともに、監視時に、監視カメラにより撮像された監視対象画像を画像メモリに記憶する記憶ステップと、画像メモリ内に記憶された画像ごとに、輝度ヒストグラムに基づく複数のテクスチャ特徴量を算出する特徴量抽出ステップと、事前準備時に画像メモリに記憶された複数の層流煙画像のそれぞれに対して特徴量抽出ステップにより算出された複数のテクスチャ特徴量のそれぞれについて、複数の層流煙画像に関する層流煙特徴量ヒストグラムを作成する特徴量ヒストグラム作成ステップと、監視時に画像メモリに記憶された監視対象画像に対して特徴量抽出ステップにより算出された複数のテクスチャ特徴量と、特徴量ヒストグラム作成ステップにより複数のテクスチャ特徴量ごとに作成された層流煙特徴量ヒストグラムとの相関関係から、監視時に撮像された監視対象画像において層流煙が発生しているか否かを判断する層流煙判定ステップとを備えるものである。
【手続補正３】
【補正対象書類名】特許請求の範囲
【補正対象項目名】全文
【補正方法】変更
【補正の内容】
【特許請求の範囲】
【請求項１】
監視カメラにより撮像された画像に対して画像処理を施すことにより、層流煙の発生を検出する層流煙検出装置であって、
事前準備時に、検出対象である層流煙が実際に発生したときの複数の層流煙画像を記憶するとともに、監視時に、前記監視カメラにより撮像された監視対象画像を記憶する画像メモリと、
前記画像メモリ内に記憶された画像ごとに、輝度ヒストグラムに基づく複数のテクスチャ特徴量を算出する特徴量抽出部と、
前記事前準備時に前記画像メモリに記憶された前記複数の層流煙画像のそれぞれに対して前記特徴量抽出部により算出された前記複数のテクスチャ特徴量のそれぞれについて、前記複数の層流煙画像に関する層流煙特徴量ヒストグラムを作成する特徴量ヒストグラム作成部と、
前記監視時に前記画像メモリに記憶された前記監視対象画像に対して前記特徴量抽出部により算出された前記複数のテクスチャ特徴量と、前記特徴量ヒストグラム作成部により前記複数のテクスチャ特徴量ごとに作成された前記層流煙特徴量ヒストグラムとの相関関係から、前記監視時に撮像された前記監視対象画像において層流煙が発生しているか否かを判断する層流煙判定部と
を備える層流煙検出装置。
【請求項２】
請求項１に記載の層流煙検出装置において、
前記画像メモリは、誤報源が実際に存在する複数の誤報源画像をさらに記憶し、
前記特徴量ヒストグラム作成部は、前記事前準備時に前記画像メモリに記憶された前記複数の誤報源画像のそれぞれに対して前記特徴量抽出部により算出された前記複数のテクスチャ特徴量のそれぞれについて、前記複数の誤報源画像に関する誤報源特徴量ヒストグラムを作成し、
前記層流煙判定部は、
前記監視時に前記画像メモリに記憶された前記監視対象画像に対して前記特徴量抽出部により算出された前記複数のテクスチャ特徴量と、前記特徴量ヒストグラム作成部により前記複数のテクスチャ特徴量ごとに作成された前記層流煙特徴量ヒストグラムおよび前記誤報源特徴量ヒストグラムとの相関関係から、前記監視時に撮像された前記監視対象画像において層流煙が発生しているか否かを判断する
層流煙検出装置。
【請求項３】
請求項１または２に記載の層流煙検出装置において、
前記層流煙判定部は、前記特徴量ヒストグラム作成部により前記複数のテクスチャ特徴量ごとに作成された前記層流煙特徴量ヒストグラムから、それぞれのテクスチャ特徴量ごとに層流煙が発生した可能性が高い特徴量範囲を規定し、前記監視時に前記画像メモリに記憶された前記監視対象画像に対して前記特徴量抽出部により算出された前記複数のテクスチャ特徴量であるＭ個（Ｍは、２以上の整数）のうちのＮ個（Ｎは、２以上Ｍ以下の整数）以上のテクスチャ特徴量において、層流煙が発生した可能性が高いとして規定したそれぞれの特徴量範囲に属している場合には、前記監視時に撮像された前記監視対象画像において層流煙が発生していると判断する
層流煙検出装置。
【請求項４】
監視カメラにより撮像された画像に対して画像処理を施すことにより、層流煙の発生を検出する層流煙検出方法であって、
事前準備時に、検出対象である層流煙が実際に発生したときの複数の層流煙画像を画像メモリに記憶するとともに、監視時に、前記監視カメラにより撮像された監視対象画像を前記画像メモリに記憶する記憶ステップと、
前記画像メモリ内に記憶された画像ごとに、輝度ヒストグラムに基づく複数のテクスチャ特徴量を算出する特徴量抽出ステップと、
前記事前準備時に前記画像メモリに記憶された前記複数の層流煙画像のそれぞれに対して前記特徴量抽出ステップにより算出された前記複数のテクスチャ特徴量のそれぞれについて、前記複数の層流煙画像に関する層流煙特徴量ヒストグラムを作成する特徴量ヒストグラム作成ステップと、
前記監視時に前記画像メモリに記憶された前記監視対象画像に対して前記特徴量抽出ステップにより算出された前記複数のテクスチャ特徴量と、前記特徴量ヒストグラム作成ステップにより前記複数のテクスチャ特徴量ごとに作成された前記層流煙特徴量ヒストグラムとの相関関係から、前記監視時に撮像された前記監視対象画像において層流煙が発生しているか否かを判断する層流煙判定ステップと
を備える層流煙検出方法。
【手続補正書】
【提出日】平成29年3月3日(2017.3.3)
【手続補正１】
【補正対象書類名】明細書
【補正対象項目名】００２７
【補正方法】変更
【補正の内容】
【００２７】
次に制御部１５は、画面構成と画像信号入力部１４に入力される画像信号の解像度と液晶ライトバルブ１０の有効領域の解像度（リアル解像度）と台形歪み補正値とに基づいて外部画像の描画領域を設定する（Ｓ３）。具体的には、液晶ライトバルブ１０の有効領域の解像度と台形歪み補正値とによって、プロジェクター１が投写可能な最大領域である投写領域に対するウインドウ画像の描画領域が決まる。台形歪み補正が実施される場合、ウインドウ画像Ａ２の描画領域は、図４Ｃに破線Ａ２ｓで示すようにプロジェクター１が投写可能な最大領域である投写領域Ａ１よりも小さい非矩形になる。なお、台形歪みの補正値は、投写状態を検出した結果に基づいて自動で設定しても良いし、ＯＳＤメニューを用いてユーザーに設定させても良い。さらに画面構成によって１つの外部画像を描画できるウインドウ画像内の最大領域が決まる。さらに、その最大領域のアスペクト比と外部画像のアスペクト比とに応じてウインドウ画像内で外部画像の描画領域が決まる。このようにして投写領域Ａ１に対するウインドウ画像Ａ２の描画領域Ａ２ｓを設定し、ウインドウ画像Ａ２に対する外部画像Ａ２２の描画領域Ａ２２ｓを設定することにより、液晶ライトバルブ１０の有効領域に対応する投写領域Ａ１に対する外部画像Ａ２２の描画領域が設定されることになる。詳細については後述する。
【手続補正２】
【補正対象書類名】明細書
【補正対象項目名】００４５
【補正方法】変更
【補正の内容】
【００４５】
二画面等分割表示または二画面不等分割表示の画面構成が設定される場合、制御部１５は、図８Ｂおよび図８Ｃに破線で示すように、２つの外部画像Ａ２２ａ、Ａ２２ｂのうち垂直方向に長い方の外部画像の上下の２辺に上下の２辺が重なり、ウインドウ画像Ａ２の左右の２辺に左右の２辺が重なる矩形の領域を操作領域Ａ２４として設定する。したがって二画面等分割表示または二画面不等分割表示の場合、操作領域Ａ２４は、ウインドウ画像Ａ２よりも狭い領域になる。制御部１５は、投写面の操作領域Ａ２４の外側の領域に対して操作がされたとしても、すなわち、操作領域Ａ２４の外側の領域に対応する操作位置信号が入力されたとしても、対応する図形をウインドウ画像Ａ２に描画しない。
【手続補正書】
【提出日】平成29年3月3日(2017.3.3)
【手続補正１】
【補正対象書類名】明細書
【補正対象項目名】００１０
【補正方法】変更
【補正の内容】
【００１０】
（３）上記目的を達成するための双方向表示方法の前記連動編集ステップにおいて、前記外部画像が表す外部オブジェクトの拡大または縮小を示す前記画像信号の属性または前記画像信号の変化を検出すると、前記外部オブジェクトの拡大又は縮小に応じて前記操作入力オブジェクトを拡大または縮小してもよい。（４）また、前記外部画像が表す外部オブジェクトの移動を示す前記画像信号の属性または前記画像信号の変化を検出すると、前記操作入力オブジェクトを前記外部オブジェクトの移動に応じて移動してもよい。
これらの構成を採用することにより、変化前の外部画像に対応する操作入力オブジェクトを変化後の外部画像に対応させることができる。
【手続補正２】
【補正対象書類名】明細書
【補正対象項目名】００１７
【補正方法】変更
【補正の内容】
【００１７】
投写光源１７は、高圧水銀灯、ＬＥＤ（Light emitting diode）、レーザー等によって構成され、光源駆動部１６によって駆動される。画像信号入力部及び信号変化検出部としての入出力インターフェース１４は、ＵＳＢ端子、イーサネット（登録商標）端子、ＨＤＭＩ（登録商標）端子、ＲＳ２３２ｃ端子等の複数種類の入力端子を備え、外部機器から各種の画像信号が入力される。制御部１５は、外部記憶１５１に格納されている制御プログラムを実行することにより、プロジェクター１の各部を制御する。また描画部、出力部および連動編集部として機能する制御部１５は、画像信号処理部１３とＯＳＤ処理部１２とを備え、外部機器から入力される画像信号と位置検出部２２から入力される操作位置信号とに基づいて描画処理を実行し、表示信号としての投写信号を出力する。画像信号処理部１３は、外部機器から入力された画像信号と位置検出部２２から入力される操作位置信号とに基づく描画処理の結果として、外部画像レイヤーの画像データと操作入力レイヤーの画像データとをＯＳＤ処理部１２に出力する。ＯＳＤ処理部１２は、各レイヤーの画像データを合成して液晶ライトバルブ１０に対応する投写信号を出力する。液晶駆動部１１は、ＯＳＤ処理部１２から出力される投写信号を、液晶ライトバルブ１０の各画素を駆動するためのアナログ信号に変換する。液晶ライトバルブ１０は、投写光源１７から放射され図示しないダイクロイックミラーによって分離された赤、緑、青の波長の光の透過率をそれぞれが画素毎に制御する３つの液晶パネル１０ａ、１０ｂ、１０ｃを備える。操作部１８は、ＯＳＤメニューを投写する指示を入力するためのメニューキー１８１や、ＯＳＤメニューの項目を選択するための選択キー１８２や決定キー１８３や、外部電源から電源部１９への電力供給をオンおよびオフするための電源スイッチ１８４を備える。電源部１９は、プロジェクター１の各部に電力を供給する。
【手続補正３】
【補正対象書類名】明細書
【補正対象項目名】００３５
【補正方法】変更
【補正の内容】
【００３５】
１…プロジェクター、１ａ…第一筐体、１ｂ…第二筐体、１０…液晶ライトバルブ、１０ａ、１０ｂ、１０ｃ…液晶パネル、１１…液晶駆動部、１２…ＯＳＤ処理部、１３…画像信号処理部、１４…入出力インターフェース、１４…画像信号入力部、１５…制御部、１６…光源駆動部、１７…投写光源、１８…操作部、１９…電源部、２１…受信部、２２…位置検出部、２３…電子ペン、１５１…外部記憶、１８１…メニューキー、１８２…選択キー、１８３…決定キー、１８４…電源スイッチ、２３１…接触センサー、２３２…発光部、２３３…電源スイッチ、Ａ１…投写領域、Ａ２…ウインドウ画像、Ａ２０…外部画像レイヤー、Ａ２１…操作入力レイヤー、Ａ２１…操作入力画像、Ａ２１ｇ…操作入力オブジェクト、Ａ２２ａ…外部画像、Ａ２２ｂ…外部画像、Ａ２２ｓ…描画領域、Ａ２ｓ…描画領域
【手続補正書】
【提出日】平成29年3月30日(2017.3.30)
【手続補正１】
【補正対象書類名】明細書
【補正対象項目名】００１１
【補正方法】変更
【補正の内容】
【００１１】
本発明に係る層流煙検出装置は、監視カメラにより撮像された画像に対して画像処理を施すことにより、層流煙の発生を検出する層流煙検出装置であって、事前準備時に、検出対象である層流煙が実際に発生したときの複数の層流煙画像を記憶するとともに、監視時に、監視カメラにより撮像された監視対象画像を記憶する画像メモリと、画像メモリ内に記憶された画像ごとに、画像内の輝度分布に基づいて、層流煙の存在の有無を識別するための特徴量を算出する特徴量抽出部と、複数の層流煙画像の特徴量の頻度分布である層流煙特徴量ヒストグラムを作成する特徴量ヒストグラム作成部と、監視対象画像の特徴量と、層流煙特徴量ヒストグラムとの相関関係から、監視対象画像において層流煙が発生しているか否かを判断する層流煙判定部とを備え、層流煙判定部は、監視対象画像に対して算出された特徴量と、層流煙特徴量ヒストグラムによる分布との相関関係の強さをマハラノビス距離として算出し、層流煙特徴量ヒストグラムの分布との相関関係として算出したマハラノビス距離が、第１の所定範囲内の値を有する場合には、監視対象画像において層流煙が発生していると判断するものである。
【手続補正２】
【補正対象書類名】明細書
【補正対象項目名】００１２
【補正方法】変更
【補正の内容】
【００１２】
また、本発明に係る層流煙検出方法は、監視カメラにより撮像された画像に対して画像処理を施すことにより、層流煙の発生を検出する層流煙検出方法であって、事前準備時に、検出対象である層流煙が実際に発生したときの複数の層流煙画像を画像メモリに記憶するとともに、監視時に、監視カメラにより撮像された監視対象画像を画像メモリに記憶する記憶ステップと、画像メモリ内に記憶された画像ごとに、画像内の輝度分布に基づいて、層流煙の存在の有無を識別するための特徴量を算出する特徴量抽出ステップと、複数の層流煙画像の特徴量の頻度分布である層流煙特徴量ヒストグラムを作成する特徴量ヒストグラム作成ステップと、  監視対象画像の特徴量と、層流煙特徴量ヒストグラムとの相関関係から、監視対象画像において層流煙が発生しているか否かを判断する層流煙判定ステップとを備え、層流煙判定ステップは、相関関係の強さをマハラノビス距離として算出し、算出したマハラノビス距離が、層流煙特徴量ヒストグラムの分布に対して所定範囲内の値を有する場合には、監視対象画像において層流煙が発生していると判断するものである。
【手続補正３】
【補正対象書類名】特許請求の範囲
【補正対象項目名】全文
【補正方法】変更
【補正の内容】
【特許請求の範囲】
【請求項１】
監視カメラにより撮像された画像に対して画像処理を施すことにより、層流煙の発生を検出する層流煙検出装置であって、
事前準備時に、検出対象である層流煙が実際に発生したときの複数の層流煙画像を記憶するとともに、監視時に、前記監視カメラにより撮像された監視対象画像を記憶する画像メモリと、
前記画像メモリ内に記憶された画像ごとに、画像内の輝度分布に基づいて、前記層流煙の存在の有無を識別するための特徴量を算出する特徴量抽出部と、
前記複数の層流煙画像の特徴量の頻度分布である層流煙特徴量ヒストグラムを作成する特徴量ヒストグラム作成部と、
前記監視対象画像の特徴量と、前記層流煙特徴量ヒストグラムとの相関関係から、前記監視対象画像において層流煙が発生しているか否かを判断する層流煙判定部と
を備え、
前記層流煙判定部は、前記監視対象画像に対して算出された前記特徴量と、前記層流煙特徴量ヒストグラムによる分布との前記相関関係の強さをマハラノビス距離として算出し、前記層流煙特徴量ヒストグラムの分布との相関関係として算出したマハラノビス距離が、第１の所定範囲内の値を有する場合には、前記監視対象画像において層流煙が発生していると判断する
層流煙検出装置。
【請求項２】
請求項１に記載の層流煙検出装置において、
前記画像メモリは、事前準備時に、誤報源が実際に存在する複数の誤報源画像を記憶し、
前記特徴量抽出部は、複数の特徴量を算出し、
前記特徴量ヒストグラム作成部は、前記複数の特徴量のそれぞれについて特徴量ヒストグラムを作成することで、複数の層流煙特徴量ヒストグラムおよび複数の誤報源特徴量ヒストグラムを作成し、
前記層流煙判定部は、前記複数の特徴量を考慮した層流煙特徴量ヒストグラムの分布および前記誤報源特徴量ヒストグラムの分布のそれぞれに対してマハラノビス距離を算出し、前記監視対象画像に対して前記特徴量抽出部により算出された前記特徴量と、前記複数の特徴量から特定されるそれぞれの分布との相関関係から、前記監視対象画像において層流煙が発生しているか否かを判断する
層流煙検出装置。
【請求項３】
監視カメラにより撮像された画像に対して画像処理を施すことにより、層流煙の発生を検出する層流煙検出方法であって、
事前準備時に、検出対象である層流煙が実際に発生したときの複数の層流煙画像を画像メモリに記憶するとともに、監視時に、前記監視カメラにより撮像された監視対象画像を前記画像メモリに記憶する記憶ステップと、
前記画像メモリ内に記憶された画像ごとに、画像内の輝度分布に基づいて、前記層流煙の存在の有無を識別するための特徴量を算出する特徴量抽出ステップと、
前記複数の層流煙画像の特徴量の頻度分布である層流煙特徴量ヒストグラムを作成する特徴量ヒストグラム作成ステップと、
前記監視対象画像の前記特徴量と、前記層流煙特徴量ヒストグラムとの相関関係から、前記監視対象画像において層流煙が発生しているか否かを判断する層流煙判定ステップと
を備え、
前記層流煙判定ステップは、前記相関関係の強さをマハラノビス距離として算出し、算出したマハラノビス距離が、前記層流煙特徴量ヒストグラムの分布に対して所定範囲内の値を有する場合には、前記監視対象画像において層流煙が発生していると判断する
層流煙検出方法。
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
移動体で利用される情報処理装置において、
地図情報を取得する第１取得手段と、
他移動体の現在位置を示す第１位置情報及び前記他移動体の過去の移動履歴を示す履歴情報を取得する第２取得手段と、
前記地図情報、前記第１位置情報及び前記履歴情報に基づいて、前記他移動体の移動路を決定する決定手段と、
前記移動体の現在位置を示す第２位置情報を取得する第３取得手段と、
前記移動路、前記第１位置情報及び前記第２位置情報に基づいて注意喚起情報を報知する報知手段と、
を備える情報処理装置。
【請求項２】
請求項１に記載の情報処理装置において、
前記第１位置情報及び前記地図情報に基づいて、前記他移動体の位置に関連する前記移動路の数を判定する判定手段を更に備え、
前記決定手段は、
前記数が一と判定された場合、当該数が判定された前記移動路を前記他移動体の前記移動路であると決定し、
前記数が二以上と判定された場合、前記履歴情報に基づいて前記他移動体の前記移動路を決定することを特徴とする情報処理装置。
【請求項３】
請求項２に記載の情報処理装置において、
前記数が一と判定された場合において、当該数が判定された前記移動路から前記他移動体の現在位置に対応した位置に至る移動路の数を判定する第２判定手段を更に備え、
前記報知手段は、前記第２判定手段によって判定された数が二以上である場合、前記注意喚起情報に代えて、当該注意喚起情報とは異なり且つ前記他移動体の現在位置の特定が不要な第２注意喚起情報を報知することを特徴とする情報処理装置。
【請求項４】
請求項１から請求項３のいずれか一項に記載の情報処理装置において、
前記他移動体の前記移動路を示した地図を表示する表示手段を更に備えることを特徴とする情報処理装置。
【請求項５】
移動体で利用される情報処理装置において実行される情報処理方法において、
地図情報を取得する第１取得工程と、
他移動体の現在位置を示す第１位置情報及び前記他移動体の過去の移動履歴を示す履歴情報を取得する第２取得工程と、
前記地図情報と、前記第１位置情報及び前記履歴情報に基づいて、前記他移動体の移動路を決定する決定工程と、
前記移動体の現在位置を示す第２位置情報を取得する第３取得工程と、
前記移動路、前記第１位置情報及び前記第２位置情報に基づいて注意喚起情報を報知する報知工程と、
を含む情報処理方法。
【請求項６】
移動体で利用される情報処理装置に含まれるコンピュータを、
地図情報を取得する第１取得手段、
他移動体の現在位置を示す第１位置情報及び前記他移動体の過去の移動履歴を示す履歴情報を取得する第２取得手段、
前記地図情報、前記第１位置情報及び前記履歴情報に基づいて、前記他移動体の移動路を決定する決定手段、
前記移動体の現在位置を示す第２位置情報を取得する第３取得手段、及び、
前記移動路、前記第１位置情報及び前記第２位置情報に基づいて注意喚起情報を報知する報知手段、
として機能させる情報処理用プログラム。
【手続補正２】
【補正対象書類名】明細書
【補正対象項目名】０００６
【補正方法】変更
【補正の内容】
【０００６】
上記の課題を解決するために、請求項１に記載の発明は、移動体で利用される情報処理装置において、地図情報を取得する第１取得手段と、他移動体の現在位置を示す第１位置情報及び前記他移動体の過去の移動履歴を示す履歴情報を取得する第２取得手段と、前記地図情報、前記第１位置情報及び前記履歴情報に基づいて、前記他移動体の移動路を決定する決定手段と、前記移動体の現在位置を示す第２位置情報を取得する第３取得手段と、前記移動路、前記第１位置情報及び前記第２位置情報に基づいて注意喚起情報を報知する報知手段と、を備える。
【手続補正３】
【補正対象書類名】明細書
【補正対象項目名】０００７
【補正方法】変更
【補正の内容】
【０００７】
上記の課題を解決するために、請求項５に記載の発明は、移動体で利用される情報処理装置において実行される情報処理方法において、地図情報を取得する第１取得工程と、他移動体の現在位置を示す第１位置情報及び前記他移動体の過去の移動履歴を示す履歴情報を取得する第２取得工程と、前記地図情報と、前記第１位置情報及び前記履歴情報に基づいて、前記他移動体の移動路を決定する決定工程と、前記移動体の現在位置を示す第２位置情報を取得する第３取得工程と、前記移動路、前記第１位置情報及び前記第２位置情報に基づいて注意喚起情報を報知する報知工程と、を含む。
【手続補正４】
【補正対象書類名】明細書
【補正対象項目名】０００８
【補正方法】変更
【補正の内容】
【０００８】
上記の課題を解決するために、請求項６に記載の発明は、移動体で利用される情報処理装置に含まれるコンピュータを、地図情報を取得する第１取得手段、他移動体の現在位置を示す第１位置情報及び前記他移動体の過去の移動履歴を示す履歴情報を取得する第２取得手段、前記地図情報、前記第１位置情報及び前記履歴情報に基づいて、前記他移動体の移動路を決定する決定手段、前記移動体の現在位置を示す第２位置情報を取得する第３取得手段、及び、前記移動路、前記第１位置情報及び前記第２位置情報に基づいて注意喚起情報を報知する報知手段、として機能させる。
【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
シラバスデータ及び同一シラバスを用いた授業情報を記憶する記憶手段を備えるサーバと、クライアント端末を含む管理システムであって、
前記記憶手段で記憶された授業情報に従って、過去の同一シラバスを用いた授業情報から変更がされた授業情報を特定する特定手段と、
前記特定手段で特定された授業情報が過去に用いたシラバスデータを前記記憶手段から取得する取得手段と、
前記取得したシラバスデータを用いて、前記変更された授業情報で用いるシラバスデータとして登録する登録手段と
を備えることを特徴とする管理システム。
【請求項２】
前記クライアント端末において、前記特定手段で特定された授業情報を表示する変更授業表示手段と、
シラバスデータを作成すべく、前記取得手段で取得したシラバスデータを前記変更授業表示手段で表示された授業情報のシラバスデータとして表示するシラバスデータ表示手段と
を更に備えることを特徴とする請求項１に記載の管理システム。
【請求項３】
前記クライアント端末において前記取得手段で取得したシラバスデータを編集可能に表示させ、
前記登録手段は、編集されたシラバスデータを登録することを特徴とする請求項１又は２に記載の管理システム。
【請求項４】
前記特定手段で特定された授業情報に新たなシラバス識別情報を付与する付与手段を更に備え、
前記登録手段は、前記付与手段で付与されたシラバス識別情報と前記編集されたシラバスデータとが対応するように登録することを特徴とする請求項３に記載の管理システム。
【請求項５】
シラバスデータの編集に係り、過去のシラバスデータからコピーされたシラバスデータである場合に、過去のシラバスデータがコピーされたことを通知する通知手段
を更に備えることを特徴とする請求項１乃至４のいずれか１項に記載の管理システム。
【請求項６】
前記通知手段は、過去のシラバスデータのシラバス識別情報と、過去のシラバスデータを通知することを特徴とする請求項５に記載の管理システム。
【請求項７】
シラバスデータ及び同一シラバスを用いた授業情報を記憶する記憶手段を備えるサーバと、クライアント端末を含む管理システムの処理方法であって、
前記記憶手段で記憶された授業情報に従って、過去の同一シラバスを用いた授業情報から変更がされた授業情報を特定する特定ステップと、
前記特定ステップで特定された授業情報が過去に用いたシラバスデータを前記記憶手段から取得する取得ステップと、
前記取得したシラバスデータを用いて、前記変更された授業情報で用いるシラバスデータとして登録する登録ステップと
を含むことを特徴とする処理方法。
【請求項８】
シラバスデータ及び同一シラバスを用いた授業情報を記憶する記憶手段を備えるサーバと、クライアント端末を含む管理システムのプログラムであって、
管理システムを、
前記記憶手段で記憶された授業情報に従って、過去の同一シラバスを用いた授業情報から変更がされた授業情報を特定する特定手段と、
前記特定手段で特定された授業情報が過去に用いたシラバスデータを前記記憶手段から取得する取得手段と、
前記取得したシラバスデータを用いて、前記変更された授業情報で用いるシラバスデータとして登録する登録手段
として機能させるためのプログラム。
【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
ある文書に含まれるページのうちからユーザーが選択したページ、および、前記ある文書とは別の文書に含まれるページのうちからユーザーが選択したページを特定するための情報を記憶する記憶手段と、
前記記憶された情報に基づいて特定される複数のページのみを表示手段に一覧表示させる制御手段と、
を有することを特徴とする装置。
【請求項２】
ある文書に含まれるページのうちからユーザーが選択したページ、および、前記ある文書とは別の文書に含まれるページのうちからユーザーが選択したページを特定するための情報を記憶する記憶手段と、
前記記憶された情報に基づいて特定されるページのそれぞれをスライドショーによって連続的に表示手段に表示させる制御手段と、
を有することを特徴とする装置。
【請求項３】
前記制御手段は、前記特定されるページのうち、前記文書に含まれるページを連続的に表示させた後で、前記別の文書に含まれるページを連続的に表示させることを特徴とする請求項２に記載の装置。
【請求項４】
前記制御手段は、前記特定されるページのうちの１つのページを所定の領域に表示させつつ、前記特定されるページのうちの複数のページを前記所定の領域とは別の領域に表示させることを特徴とする請求項１乃至３の何れか１項に記載の装置。
【請求項５】
前記記憶された情報は、前記特定されるページから、前記文書に含まれるページと、前記別の文書に含まれるページとのそれぞれを、ユーザーにとって識別可能にするための情報であることを特徴とする請求項１乃至４の何れか１項に記載の装置。
【請求項６】
ある文書に含まれるページのうちからユーザーが選択したページ、および、前記ある文書とは別の文書に含まれるページのうちからユーザーが選択したページを特定するための情報を記憶する記憶工程と、
前記記憶された情報に基づいて特定される複数のページのみを表示手段に一覧表示させる制御工程と、
を有することを特徴とする方法。
【請求項７】
ある文書に含まれるページのうちからユーザーが選択したページ、および、前記ある文書とは別の文書に含まれるページのうちからユーザーが選択したページを特定するための情報を記憶する記憶工程と、
前記記憶された情報に基づいて特定されるページのそれぞれをスライドショーによって連続的に表示手段に表示させる制御工程と、
を有することを特徴とする方法。
【請求項８】
前記制御工程は、前記特定されるページのうち、前記文書に含まれるページを連続的に表示させた後で、前記別の文書に含まれるページを連続的に表示させることを特徴とする請求項７に記載の方法。
【請求項９】
前記制御工程は、前記特定されるページのうちの１つのページを所定の領域に表示させつつ、前記特定されるページのうちの複数のページを前記所定の領域とは別の領域に表示させることを特徴とする請求項６乃至８の何れか１項に記載の方法。
【請求項１０】
前記記憶された情報は、前記特定されるページから、前記文書に含まれるページと、前記別の文書に含まれるページとのそれぞれを、ユーザーにとって識別可能にするための情報であることを特徴とする請求項６乃至９の何れか１項に記載の方法。
【請求項１１】
請求項１乃至５の何れか１項に記載の各手段としてコンピュータを機能させるためのプログラム。
【手続補正２】
【補正対象書類名】明細書
【補正対象項目名】０００５
【補正方法】変更
【補正の内容】
【０００５】
本発明の一側面によれば、ある文書に含まれるページのうちからユーザーが選択したページ、および、前記ある文書とは別の文書に含まれるページのうちからユーザーが選択したページを特定するための情報を記憶する記憶手段と、前記記憶された情報に基づいて特定される複数のページのみを表示手段に一覧表示させる制御手段と、を有することを特徴とする装置が提供される。
また、本発明の一側面によれば、ある文書に含まれるページのうちからユーザーが選択したページ、および、前記ある文書とは別の文書に含まれるページのうちからユーザーが選択したページを特定するための情報を記憶する記憶手段と、前記記憶された情報に基づいて特定されるページのそれぞれをスライドショーによって連続的に表示手段に表示させる制御手段と、を有することを特徴とする装置が提供される。
【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
被写体の色彩情報を含むカラー画像データを取得する第一の取得手段と、
前記被写体の明るさ情報を含むモノクロ画像データを取得する第二の取得手段と、
前記カラー画像データと前記モノクロ画像データとを位置合わせして合成することで、前記カラー画像データよりも解像度が高いカラーの画像データである合成画像データを生成する生成手段と
を有し、
前記生成手段は、前記合成画像データの各画素の画素値が、前記カラー画像データに基づく色彩情報と、前記モノクロ画像データに基づく明るさ情報とを含むように、前記合成画像データを生成することを特徴とする画像処理装置。
【請求項２】
前記生成手段は、前記合成画像データの各画素における、前記被写体の明るさを示す値である明るさ値が、前記モノクロ画像データにおいて対応する画素が示す明るさ値となるように、前記合成画像データを生成することを特徴とする請求項１に記載の画像処理装置。
【請求項３】
前記生成手段は、前記合成画像データの各画素における、前記被写体の明るさを示す値である明るさ値が、前記モノクロ画像データにおいて対応する画素が示す明るさ値と、前記カラー画像データにおいて対応する画素が示す明るさ値との平均値になるように、前記合成画像データを生成することを特徴とする請求項１に記載の画像処理装置。
【請求項４】
前記生成手段は、前記合成画像データの各画素における明るさ値が、前記モノクロ画像データにおいて対応する画素が示す明るさ値と、前記カラー画像データにおいて対応する画素が示す明るさ値との加重平均値になるように、前記合成画像データを生成することを特徴とする請求項３に記載の画像処理装置。
【請求項５】
前記カラー画像データの各画素における明るさ値に、高周波成分を強調する高域強調処理を施す処理手段を更に有し、
前記生成手段は、前記合成画像データの各画素における明るさ値が、前記モノクロ画像データにおいて対応する画素が示す明るさ値と、前記処理手段により高域強調処理が施された前記カラー画像データにおいて対応する画素が示す明るさ値との平均値になるように、前記合成画像データを生成することを特徴とする請求項１に記載の画像処理装置。
【請求項６】
前記生成手段は、前記合成画像データの各画素における明るさ値が、前記モノクロ画像データにおいて対応する画素が示す明るさ値と、前記処理手段により高域強調処理が施された前記カラー画像データにおいて対応する画素が示す明るさ値との加重平均値になるように、前記合成画像データを生成することを特徴とする請求項５に記載の画像処理装置。
【請求項７】
前記明るさ値は輝度値であることを特徴とする請求項２乃至６のいずれか一項に記載の画像処理装置。
【請求項８】
前記明るさ値は明度値であることを特徴とする請求項２乃至６のいずれか一項に記載の画像処理装置。
【請求項９】
前記カラー画像データから、前記被写体の明るさ情報を抽出する抽出手段を更に有し、
前記決定手段は、前記抽出手段により抽出された前記カラー画像データの明るさ情報と、前記モノクロ画像データの明るさ情報とを比較することで、前記位置合わせを行うことを特徴とする請求項１乃至８のいずれか一項に記載の画像処理装置。
【請求項１０】
前記位置合わせの結果に基づいて、前記被写体までの距離を示す距離情報を取得する距離取得手段を更に有することを特徴とする請求項１乃至９のいずれか一項に記載の画像処理装置。
【請求項１１】
前記距離情報と前記合成画像データとを用いて、前記被写体の三次元画像データを生成する３Ｄ生成手段を更に有することを特徴とする請求項１０に記載の画像処理装置。
【請求項１２】
請求項１乃至１１のいずれか一項に記載の画像処理装置としての機能を有し、
前記カラー画像データを撮像する第一の撮像手段と、
前記モノクロ画像データを撮像する第二の撮像手段とを更に有することを特徴とする撮像装置。
【請求項１３】
被写体の色彩情報を含むカラー画像データを取得するステップと、
前記被写体の明るさ情報を含むモノクロ画像データを取得するステップと、前記カラー画像データと前記モノクロ画像データとを位置合わせして合成することで、前記カラー画像データよりも解像感が高いカラーの画像データである合成画像データを生成するステップと、
を有し、
前記生成するステップは、前記合成画像データの各画素の画素値が、前記カラー画像データに基づく色彩情報と、前記モノクロ画像データに基づく明るさ情報とを含むように、前記合成画像データを生成することを特徴とする画像処理方法。
【請求項１４】
コンピュータを、請求項１乃至１１のいずれか一項に記載の画像処理装置の各手段として機能させるためのプログラム。
【手続補正２】
【補正対象書類名】明細書
【補正対象項目名】０００８
【補正方法】変更
【補正の内容】
【０００８】
上記課題を解決するために、本発明に係る画像処理装置は、被写体の色彩情報を含むカラー画像データを取得する第一の取得手段と、前記被写体の明るさ情報を含むモノクロ画像データを取得する第二の取得手段と、前記カラー画像データと前記モノクロ画像データとを位置合わせして合成することで、前記カラー画像データよりも解像度が高いカラーの画像データである合成画像データを生成する生成手段とを有し、前記生成手段は、前記合成画像データの各画素の画素値が、前記カラー画像データに基づく色彩情報と、前記モノクロ画像データに基づく明るさ情報とを含むように、前記合成画像データを生成する。
【手続補正書】
【提出日】平成29年3月23日(2017.3.23)
【手続補正１】
【補正対象書類名】明細書
【補正対象項目名】０００６
【補正方法】変更
【補正の内容】
【０００６】
上記目的を達成するため、本発明の一態様の情報処理装置は、
データの全体領域から複数の部分領域を指定する指定手段と、
前記指定手段によって指定された前記複数の部分領域を抽出領域として抽出する抽出手段と、
前記指定手段によって指定された前記複数の部分領域において前記全体領域上で重複する重複領域が存在する場合に、前記重複領域を重複して抽出しないように、前記抽出手段を制御する抽出制御手段と、
前記抽出制御手段により制御された前記抽出手段によって抽出された抽出領域を外部装置の記録手段に記録させるよう出力する出力手段と、を備えることを特徴とする。
【手続補正２】
【補正対象書類名】特許請求の範囲
【補正対象項目名】全文
【補正方法】変更
【補正の内容】
【特許請求の範囲】
【請求項１】
データの全体領域から複数の部分領域を指定する指定手段と、
前記指定手段によって指定された前記複数の部分領域を抽出領域として抽出する抽出手段と、
前記指定手段によって指定された前記複数の部分領域において前記全体領域上で重複する重複領域が存在する場合に、前記重複領域を重複して抽出しないように、前記抽出手段を制御する抽出制御手段と、
前記抽出制御手段により制御された前記抽出手段によって抽出された抽出領域を外部装置の記録手段に記録させるよう出力する出力手段と、を備えることを特徴とする情報処理装置。
【請求項２】
前記指定手段によって指定された前記複数の部分領域において前記全体領域上で重複する重複領域が存在するか否かを判断する判断手段を更に備え、
前記抽出制御手段は、前記判断手段によって前記重複領域が存在すると判断された場合に、前記重複領域を重複して抽出しないように、前記抽出手段を制御する
ことを特徴とする請求項１に記載の情報処理装置。
【請求項３】
前記抽出制御手段は、前記重複領域を１つの領域とし、残余の部分領域である非重複領域と共に１つの抽出領域として抽出するように前記抽出手段を制御する
ことを特徴とする請求項１又は２に記載の情報処理装置。
【請求項４】
前記抽出制御手段は、前記重複領域及び前記非重複領域を、矩形形状の単位で特定すると共に、特定する領域が矩形形状でない場合には、矩形の単位となるように領域を分割して前記重複領域又は前記非重複領域を特定し、
前記抽出手段は、前記抽出制御手段によって特定された単位で前記抽出領域を抽出する、
ことを特徴とする請求項３に記載の情報処理装置。
【請求項５】
前記指定手段は、ユーザ操作に基づく前記部分領域の指定を受け付ける受付手段を備え、
前記受付手段は、前記全体領域において２点指定されることにより、矩形形状の領域の指定を受け付ける、
ことを特徴とする請求項３又は４に記載の情報処理装置。
【請求項６】
前記抽出制御手段は、主となる部分領域と、従となる部分領域を特定するとともに、前記主となる部分領域を優先して前記非重複領域を特定する、
ことを特徴とする請求項３乃至５のいずれか１項に記載の情報処理装置。
【請求項７】
前記外部装置と外部ネットワークを通じて通信を行う通信手段を更に備え、
前記出力手段は、前記外部装置の前記記録手段に前記抽出領域を記録させるよう、前記通信手段を介して外部装置に出力する、
ことを特徴とする請求項１乃至６のいずれか１項に記載の情報処理装置。
【請求項８】
前記抽出領域は、前記外部装置の前記表示手段の全表示範囲よりも大きい範囲である、
ことを特徴とする請求項７に記載の情報処理装置。
【請求項９】
情報処理装置と、表示装置と、を備える現在地表示システムにおいて、
前記情報処理装置は、
データの全体領域から複数の部分領域を指定する指定手段と、
前記指定手段によって指定された前記複数の部分領域を抽出領域として抽出する抽出手段と、
前記指定手段によって指定された前記複数の部分領域において前記全体領域上で重複する重複領域が存在する場合に、前記重複領域を重複して抽出しないように、前記抽出手段を制御する抽出制御手段と、前記抽出手段によって抽出した前記抽出領域を前記表示装置に出力する出力手段と、
を有し、
前記表示装置は、
前記情報処理装置の前記出力手段から出力された前記抽出領域を受信する受信手段と、
前記受信手段により受信された前記抽出領域を記録手段に記録する記録制御手段と、
当該表示装置の位置を測位する測位手段と、
前記記録手段に記録される前記抽出領域の一部を表示手段に表示させつつ、前記測位手段により測位された位置を、該抽出領域上に表示するように該表示手段を制御する表示制御手段と、を有する、
ことを特徴とする現在地表示システム。
【請求項１０】
データの全体領域から複数の部分領域を指定する指定ステップと、
指定された前記複数の部分領域において前記全体領域上で重複する重複領域が存在するか否かを判断する判断ステップと、
前記重複領域が存在すると判断された場合に、前記重複領域を重複して抽出しないように、指定された前記複数の部分領域を抽出領域として抽出するステップと、
前記抽出制御ステップにより制御された前記抽出手段によって抽出された抽出領域を外部装置の記録手段に記録させるよう出力する出力ステップと、
を含むことを特徴とする領域抽出方法。
【請求項１１】
コンピュータを、
データの全体領域から複数の部分領域を指定する指定手段、
前記指定手段によって指定された前記複数の部分領域を抽出領域として抽出する抽出手段、
前記指定手段によって指定された前記複数の部分領域において前記全体領域上で重複する重複領域が存在する場合に、前記重複領域を重複して抽出しないように、前記抽出手段を制御する抽出制御手段、
前記抽出制御手段により制御された前記抽出手段によって抽出された抽出領域を外部装置の記録手段に記録させるよう出力する出力手段、
として機能させることを特徴とするプログラム。
【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
ロータ軸に取り付けられるとともに取込口から流入する流体を圧縮して吐出口から吐出する羽根車と、
該羽根車を収容する案内筒と、
該案内筒よりも外周側に配置されるとともに前記吐出口から吐出された圧縮流体が流入するスクロール部と、
前記ロータ軸の軸線回りに前記羽根車を取り囲むように前記案内筒の前記吐出口側と前記スクロール部との連結位置に取り付けられるとともに前記案内筒よりも延性が高い材料で構成される環状部材と、を備えることを特徴とする遠心圧縮機。
【請求項２】
前記案内筒よりも前記軸線に直交する径方向の外周側かつ前記スクロール部よりも前記径方向の内周側に前記ロータ軸と同軸に配置されるとともに前記案内筒よりも延性が高い材料で構成される円筒状部材を備え、
前記軸線に対して、前記環状部材の径と前記円筒状部材の径が一致しており、
前記環状部材の前記軸線方向の端面と前記円筒状部材の前記軸線方向の端面とが、前記軸線方向に所定距離を空けて離間していることを特徴とする請求項１に記載の遠心圧縮機。
【請求項３】
前記環状部材が配置される前記軸線方向の位置範囲に、前記羽根車の前記軸線方向の重心位置が存在することを特徴とする請求項１または請求項２に記載の遠心圧縮機。
【請求項４】
前記環状部材は、前記案内筒とともに前記吐出口から吐出される前記圧縮流体が流通する流路の流路壁を形成しており、
前記環状部材は、前記軸線に直交する径方向の内周側かつ前記軸線方向の前記流路側に、前記径方向の内側に突出する環状突起部を有し、
前記連結位置における前記案内筒は、前記径方向の外周側かつ前記軸線方向の前記流路側に環状段部を有し、
前記案内筒と前記環状部材は、前記環状段部に前記環状突起部を配置した状態で接続されていることを特徴とする請求項１から請求項３のいずれか１項に記載の遠心圧縮機。
【請求項５】
請求項１から４のいずれか１項に記載の遠心圧縮機と、
内燃機関から排出された排気ガスにより前記軸線回りに回転するとともに前記ロータ軸に連結されるタービンと、を備えることを特徴とする過給機。
【請求項６】
取込口から流入する流体を圧縮して吐出口から吐出する羽根車をロータ軸に取り付ける工程と、
前記羽根車を収容するように案内筒を取り付けて前記取込口から流入する流体を前記吐出口へ導く流路を形成する工程と、
前記吐出口から吐出された圧縮流体が流入するスクロール部を、前記案内筒よりも前記軸線方向に直交する径方向の外周側に配置する工程と、
前記軸線回りに前記羽根車を取り囲むように前記案内筒と前記スクロール部との連結位置に前記案内筒を構成する主材料よりも延性が高い材料で構成される環状部材を取り付ける工程と、を備えることを特徴とする遠心圧縮機の製造方法。
【手続補正２】
【補正対象書類名】明細書
【補正対象項目名】００１３
【補正方法】変更
【補正の内容】
【００１３】
また、本態様の遠心圧縮機によれば、環状部材の径と円筒状部材の径が一致している。そのため、環状部材と円筒状部材とは、ロータ軸回りに案内筒を取り囲む同一円筒面を形成する。案内筒を脆性破壊して径方向の外側に飛散する羽根車の全部または一部は、同一円筒面を形成する環状部材と円筒状部材とのいずれかに衝突する。同一円筒面が形成されているため、環状部材の外周面の径と円筒状部材の外周面の径が相違する場合に生じる隙間が形成されない。そのため、羽根車の全部または一部が、環状部材と円筒状部材の外周面の径の違いにより形成される隙間から外部に飛散する不具合が抑制される。
【手続補正３】
【補正対象書類名】明細書
【補正対象項目名】００１６
【補正方法】変更
【補正の内容】
【００１６】
本発明の第３態様の遠心圧縮機において、前記環状部材は、前記案内筒とともに前記吐出口から吐出される前記圧縮流体が流通する流路の流路壁を形成しており、前記環状部材は、前記軸線に直交する径方向の内周側かつ前記軸線方向の前記流路側に、前記径方向の内側に突出する環状突起部を有し、前記連結位置における前記案内筒は、前記径方向の外周側かつ前記軸線方向の前記流路側に環状段部を有し、前記案内筒と前記環状部材は、前記環状段部に前記環状突起部を配置した状態で接続されていることを特徴とする。
【手続補正４】
【補正対象書類名】明細書
【補正対象項目名】００３４
【補正方法】変更
【補正の内容】
【００３４】
図２に示すように、羽根車１１は、ロータ軸３０に取り付けられるハブ１１ｃと、ハブ１１ｃの外周面上に取り付けられるブレード１１ｄと、流路１１ｅとを備える。羽根車１１には、ハブ１１ｃの外周面と空気案内筒１２の内周面により形成される空間が設けられており、この空間が複数枚のブレード１１ｄにより複数の空間に仕切られている。そして、羽根車１１は、軸線Ｘ方向に沿って取込口１１ａから流入する空気に径方向の遠心力を与えて軸線Ｘ方向に直交した方向（傾斜した方向；羽根車１１の半径方向）に吐出させ、吐出口１１ｂから吐出された圧縮空気をディフューザ１３ａに流入させる。
【手続補正５】
【補正対象書類名】明細書
【補正対象項目名】００５２
【補正方法】変更
【補正の内容】
【００５２】
図２に示すように、第１コンテインメントリング１４は、空気案内筒１２とともに吐出口１１ｂから吐出される圧縮空気が流通する流路１１ｅの外周側の流路壁を形成している。
図３に示すように、第１コンテインメントリング１４は、径方向の内周側かつ軸線Ｘ方向の流路１１ｅ側に、径方向の内側に突出する環状突起部１４ｂを有している。
【手続補正６】
【補正対象書類名】明細書
【補正対象項目名】００５３
【補正方法】変更
【補正の内容】
【００５３】
また、図３に示すように、空気案内筒１２は、径方向の外周側かつ軸線Ｘ方向の流路１１ｅ側に環状段部１２ａを有する。空気案内筒１２と第１コンテインメントリング１４は、環状段部１２ａに環状突起部１４ｂを配置した状態で接続されている。この環状段部１２ａと環状突起部１４ｂの間には、隙間が設けられている。この隙間により、空気案内筒１２の熱膨張があっても熱膨張による変形が第１コンテインメントリング１４に伝搬しないようにすることができる。
【手続補正書】
【提出日】平成29年1月11日(2017.1.11)
【手続補正１】
【補正対象書類名】特許請求の範囲
【補正対象項目名】全文
【補正方法】変更
【補正の内容】
【特許請求の範囲】
【請求項１】
空気を取り込むインレットと、
前記空気を用いて燃料を燃焼する燃焼器と、
前記燃料の供給を制御する燃料制御部と
を具備し、
前記燃焼器は、
前記燃料を送出する燃料供給部と、
前記燃料供給部から供給された前記燃料を噴射する開口部が形成された噴射器と、
前記燃料供給部から前記開口部に燃料を供給する配管と、
前記配管に設けられた流路断面積調整部と
を備え、
前記燃料制御部は、前記燃料供給部を、オートパイロットの指令に応じた総燃料流量を前記噴射器に送出するように制御し、
前記燃料制御部は、前記流路断面積調整部を制御して、前記配管の流路断面積を変化させることにより、前記燃料の貫通高さを制御する
ジェットエンジン。
【請求項２】
請求項１に記載のジェットエンジンにおいて、
前記燃料制御部は、前記燃料が保炎可能領域を通過するように、前記流路断面積調整部を制御する
ジェットエンジン。
【請求項３】
請求項２に記載のジェットエンジンにおいて、
前記燃料制御部は、ジェットエンジンの対気速度と、ジェットエンジンの高度とのうちの少なくとも一方に応じて、前記流路断面積調整部を制御する
ジェットエンジン。
【請求項４】
請求項１乃至３のいずれか一項に記載のジェットエンジンにおいて、
前記燃料を噴射する前記開口部は、複数の開口部であり、
前記噴射器は、
前記燃料供給部から前記複数の開口部へ前記燃料を供給する複数の配管と、
前記複数の配管の途中に設けられた複数の流路断面積調整部と
を含み、
前記燃料制御部は、前記複数の流路断面積調整部を制御する
ジェットエンジン。
【請求項５】
請求項４に記載のジェットエンジンにおいて、
前記複数の開口部は、前記空気の流路の方向に対して垂直方向に並んで配置される
ジェットエンジン。
【請求項６】
請求項４又は５に記載のジェットエンジンにおいて、
前記燃料制御部は、ジェットエンジンの対気速度が増加すると、前記燃料を噴射する開口部の数が減少するように、前記複数の流路断面積調整部の少なくとも１つを閉状態にする
ジェットエンジン。
【請求項７】
請求項４乃至６のいずれか一項に記載のジェットエンジンにおいて、
前記複数の開口部は、各開口部の面積が同じである
ジェットエンジン。
【請求項８】
請求項４乃至７のいずれか一項に記載のジェットエンジンにおいて、
前記燃料制御部は、高速時に、前記複数の開口部が一つ置きに前記燃料を噴射するように、前記複数の流路断面積調整部の開閉状態を制御する
ジェットエンジン。
【請求項９】
請求項１乃至８のいずれか一項に記載のジェットエンジンにおいて、
前記流路断面積調整部は、弁である
ジェットエンジン。
【請求項１０】
請求項１乃至８のいずれか一項に記載のジェットエンジンにおいて、
前記燃料制御部は、前記流路断面積調整部を制御して、前記配管の流路断面積を減少させることにより、前記燃料の運動量流束を増加させる
ジェットエンジン。
【請求項１１】
請求項１乃至８のいずれか一項に記載のジェットエンジンにおいて、
前記燃料制御部は、前記総燃料流量を維持しつつ、前記流路断面積調整部を制御して、前記配管の流路断面積を変化させる
ジェットエンジン。
【請求項１２】
請求項１乃至１１のいずれか一項に記載のジェットエンジンと、
前記ジェットエンジンに接続されたロケットモータと
を具備する
飛しょう体。
【請求項１３】
ジェットエンジンの動作方法であって、
ここで、前記ジェットエンジンは、
空気を取り込むインレットと、
前記空気を用いて燃料を燃焼する燃焼器と、
前記燃料の供給を制御する燃料制御部と
を具備し、
前記燃焼器は、
前記燃料を送出する燃料供給部と、
前記燃料供給部から供給された前記燃料を噴射する噴射器であって、前記燃料を噴射する開口部を含む、噴射器と、
前記燃料供給部から前記開口部に前記燃料を供給する配管と、
前記配管に設けられた流路断面積調整部と、
を備え、
前記ジェットエンジンの動作方法は、
前記燃料供給部が、オートパイロットの指令に応じた総燃料流量で前記噴射器へ燃料を送出するステップと、
前記流路断面積調整部を制御して、前記配管の流路断面積を減少させることにより、前記燃料の運動量流束を増加させるステップと
を具備する、
ジェットエンジンの動作方法。
【手続補正書】
【提出日】平成29年3月21日(2017.3.21)
【手続補正１】
【補正対象書類名】明細書
【補正対象項目名】００３３
【補正方法】変更
【補正の内容】
【００３３】
１：ポンプ本体
８：ロータ
９：ベーン収納用スリット溝
１０：基端部
１１：ベーン
１３：カム面
１４：ポンプ室
１７：吸入ポート
１７Ａ：第１吸入ポート部
１７Ｂ：第２吸入ポート部
１８：吐出ポート
１８Ａ：第１吐出ポート部
１８Ｂ：第２吐出ポート部
２９：吸入側円弧状溝部
２９Ａ：第１吸入側円弧状溝部
２９Ｂ：第２吸入側円弧状溝部
３０：吐出側円弧状溝部
３０Ａ：第１吐出側円弧状溝部
３０Ｂ：第２吐出側円弧状溝部
３１：絞り溝部
３１Ａ：第１絞り溝部
３１Ｂ：第２絞り溝部